(57)【要約】【課題】接触時に、評価装置の電気接触子の表面に付着したとしても、かかる付着物を、その接触時に有効に剥離除去して、安定な電気特性を得ることができる、電子部品の電気特性評価装置等を提供する。【解決手段】本発明の電子部品の電気特性評価装置１は、導電性材料でコーティングした電気接点11を底部にもつ電子部品2の電気接点11に対し、所定の押圧力で接触させる電気接触子5を表面にもつ導体プレート6を有し、電気接触子5は、前記電気接点11の端縁12と交差する方向に延びる尾根状表面部13をもち、導体プレート6の、電気接触子5が位置する部分の周囲に切り込み部10を形成して、電気接触子5の電気接点11との接触時に、前記電気接点11の端縁12が、前記電気接触子5の尾根状表面部13上を摺動するように弾性変形する可動片部分9を導体プレート6に設けることを特徴とする。【選択図】図１
2007163365.tif 000002
【特許請求の範囲】
【請求項１】
導電性材料でコーティングした電気接点を底部にもつ電子部品の電気接点に対し、所定の押圧力で接触させる電気接触子を表面にもつ導体プレートを有し、該電気接触子の前記電気接点との接触により、電子部品の電気特性を測定する電気特性測定装置において、
前記電気接触子は、前記電気接点の端縁と交差する方向に所定の間隔をおいて延びる複数本の尾根状表面部をもち、
前記導体プレートの、電気接触子が位置する部分の周囲に、スリット状の切り込み部を形成して、電気接触子の前記電気接点との接触時に、前記電気接点の端縁が、前記電気接触子の尾根状表面部上を摺動するように弾性変形する舌状の可動片部分を導体プレートに設けることを特徴とする電子部品の電気特性評価装置。
【請求項２】
前記導電性材料は半田めっきである請求項１記載の電子部品の電気特性評価装置。
【請求項３】
前記所定の押圧力は、０．０５〜１Ｎの範囲である請求項１または２記載の電子部品の電気特性評価装置。
【請求項４】
前記尾根状表面部は、前記電気接点の端縁に対し実質的に直交する方向に延びる請求項１、２または３記載の電子部品の電気特性評価装置。
【請求項５】
前記尾根状表面部の配設間隔は、２０〜２００μｍの範囲である請求項１〜４のいずれか１項記載の電子部品の電気特性評価装置。
【請求項６】
前記尾根状表面部は、先端が尖った略三角断面形状を有する請求項１〜５のいずれか１項記載の電子部品の電気特性評価装置。
【請求項７】
前記電気接点の端縁の前記尾根状表面部上の接触時における摺動長さは、５〜２００μｍの範囲である請求項１〜６のいずれか１項記載の電子部品の電気特性評価装置。
【請求項８】
前記導体プレートは、弾性部材上に位置する請求項１〜７のいずれか１項記載の電子部品の電気特性評価装置。
【請求項９】
電子部品は、ＩＣチップを実装した成形パッケージであり、電気接点は、成形パッケージの底部の両側に少なくとも１対設けられ、導体プレートは、フレキシブルプリント基板であり、成形パッケージの電気接点に対応して、フレキシブルプリント基板に、前記電気接触子を設けてなる請求項１〜８のいずれか１項記載の電子部品の電気特性評価装置。
【請求項１０】
導電性材料でコーティングした電気接点を底部にもつ電子部品の電気接点を、所定の押圧力で、導体プレート上に設けた電気接触子と接触させることにより、電子部品の電気特性を測定する電気特性測定方法において、
前記電気接触子は、前記電気接点の端縁と交差する方向に所定の間隔をおいて延びる複数本の尾根状表面部をもち、
前記導体プレートの、電気接触子が位置する部分の周囲に、スリット状の切り込み部を形成して、電気接触子の前記電気接点との接触時に、前記電気接点の端縁が、前記電気接触子の尾根状表面部上を摺動するように弾性変形する舌状の可動片部分を導体プレートに設けることを特徴とする電子部品の電気特性評価方法。
【発明の詳細な説明】
【技術分野】
【０００１】
この発明は、例えば、各種電子機器等に装着されるＩＣチップを実装した成形パッケージのような電子部品の電気特性評価装置および方法に関するものであって、特に、電子部品の電気接点を構成する半田めっきのような導電性材料の一部が、接触時に、評価装置の電気接触子の表面に付着したとしても、かかる付着物を、その接触時に有効に剥離除去して、安定な電気特性を得る技術に関する。
【背景技術】
【０００２】
電子部品の接触電気抵抗のような電気特性を測定するための方法としては、例えば、特許文献１に記載されたようなスプリングコネクタを用いる方法が知られている。
【特許文献１】実開平４−１０５４６２号公報
【０００３】
かかる方法は、ピンと、このピンをスライド自在に収容するチューブと、ピンをチューブから突出する方向に常時押圧付勢するコイルスプリングとで構成されたスプリングコネクタのピンの先端を、所定の押圧力で電子部品の電気接点に接触させることにより、接触電気抵抗のような電気特性を測定するものである。
【０００４】
しかしながら、スプリングコネクタを用いて電気特性を測定する方法は、例えば、電子部品の電気接点を構成する半田めっきのような軟質な導電性材料の一部が、接触時に、スプリングコネクタのピンの先端に付着しやすく、かかる付着物がピンの先端に付着したままだと、その後、別の電子部品の電気特性を測定する際に、電気特性（特に接触電気抵抗）の測定値を安定させることができなくなる場合がある。
【０００５】
かかる場合、スプリングコネクタのピンの先端の付着物を剥離除去するための作業が定期的に必要となり、そのたび毎に、電気特性の測定作業を停止させなくてはならず、これは、特に、多数の電子部品の電気特性を１台の電気特性評価装置で行う場合に、効率が極めた悪かった。
【発明の開示】
【発明が解決しようとする課題】
【０００６】
この発明の目的は、電気接触子の表面形状と電気接触子を設ける導体プレート形状の適正化により、電子部品の電気接点を構成する半田めっきのような導電性材料の一部が、接触時に、評価装置の電気接触子の表面に付着したとしても、かかる付着物を、その接触時に有効に剥離除去して、安定な電気特性を得ることができる、電子部品の電気特性評価装置および方法を提供することにある。
【課題を解決するための手段】
【０００７】
上記目的を達成するため、この発明に従う電子部品の電気特性評価装置は、導電性材料でコーティングした電気接点を底部にもつ電子部品の電気接点に対し、所定の押圧力で接触させる電気接触子を表面にもつ導体プレートを有し、該電気接触子の前記電気接点との接触により、電子部品の電気特性を測定する電気特性測定装置において、前記電気接触子は、前記電気接点の端縁と交差する方向に所定の間隔をおいて延びる複数本の尾根状表面部をもち、前記導体プレートの、電気接触子が位置する部分の周囲に、スリット状の切り込み部を形成して、電気接触子の前記電気接点との接触時に、前記電気接点の端縁が、前記電気接触子の尾根状表面部上を摺動するように弾性変形する舌状の可動片部分を導体プレートに設けることにある。
【０００８】
前記導電性材料は半田めっきであることが、この発明の効果を顕著に発揮できる点で好ましい。
【０００９】
前記所定の押圧力は、０．０５〜１Ｎの範囲であることが好ましい。
【００１０】
前記尾根状表面部は、前記電気接点の端縁に対し実質的に直交する方向に延びることが好ましい。
【００１１】
前記尾根状表面部の配設間隔は、２０〜２００μｍの範囲であることが好ましい。
【００１２】
前記尾根状表面部は、先端が尖った略三角断面形状を有することが好ましい。
【００１３】
前記電気接点の端縁の前記尾根状表面部上の接触時における摺動長さは、５〜２００μｍの範囲であることが好ましい。
【００１４】
前記導体プレートは、弾性部材上に位置することが好ましい。
【００１５】
電子部品は、ＩＣチップを実装した成形パッケージであり、電気接点は、成形パッケージの底部の両側に少なくとも１対設けられ、導体プレートは、フレキシブルプリント基板であり、成形パッケージの電気接点に対応して、フレキシブルプリント基板に、前記電気接触子を設けてなることがより好適である。
【００１６】
また、この発明に従う電子部品の電気特性評価方法は、導電性材料でコーティングした電気接点を底部にもつ電子部品の電気接点を、所定の押圧力で、導体プレート上に設けた電気接触子と接触させることにより、電子部品の電気特性を測定する電気特性測定方法において、前記電気接触子は、前記電気接点の端縁と交差する方向に所定の間隔をおいて延びる複数本の尾根状表面部をもち、前記導体プレートの、電気接触子が位置する部分の周囲に、スリット状の切り込み部を形成して、電気接触子の前記電気接点との接触時に、前記電気接点の端縁が、前記電気接触子の尾根状表面部上を摺動するように弾性変形する舌状の可動片部分を導体プレートに設けることにある。
【発明の効果】
【００１７】
この発明によれば、電気接触子の表面形状と電気接触子を設ける導体プレート形状の適正化により、電子部品の電気接点を構成する半田めっきのような導電性材料の一部が、接触時に、評価装置の電気接触子の表面に付着したとしても、かかる付着物を、その接触時に有効に剥離除去して、安定な電気特性を得ることができる、電子部品の電気特性評価装置および方法を提供することが可能になった。
【発明を実施するための最良の形態】
【００１８】
次に、この発明を実施するための最良の形態を図面を参照しながら以下で説明する。
【００１９】
図１は、この発明に従う代表的な電子部品の電気特性評価装置の要部断面図、図２は、図１の測定部の要部拡大図、図３（ａ），（ｂ）および（ｃ）はベース部材の平面図、正面図および側面図、図４は、導体プレートであるフレキシブルプリント基板（ＦＰＣ）の平面図、図５は、図４の点線の円で囲んだ部分の拡大図、図６は図５のＩ−Ｉ線上の断面図、図７（ａ）はカバー部材の平面図、図７（ｂ）は同図（ａ）のＩＩ−ＩＩ線上の断面図、図７（ｃ）は同図（ａ）のＩＩＩ−ＩＩＩ線上の断面図、図８（ａ），（ｂ）および（ｃ）は、電子部品である、ＩＣチップを実装した成形パッケージの正面図、底面図および側面図、そして、図９（ａ）および（ｂ）は、電子部品の電気接点と導体プレートの電気接触子の接触時の状態を示す、平面図および側面図である。
【００２０】
なお、図中１はＩＣチップを実装した成形パッケージ、２は電気特性評価装置の測定部、３はベース部材、４は弾性部材、５は電気接触子、６は導体プレート、そして、７はカバー部材７である。
【００２１】
図１に示す電気特性評価装置は、ＩＣチップを実装した成形パッケージ１のような電子部品の接触電気抵抗を測定するための装置であり、その測定部２は、ベース部材３と、弾性部材４と、電気接触子５を設けた導体プレート６と、カバー部材７とで主に構成されている。
【００２２】
ベース部材３は、エンジニアリング成形樹脂で、硬質ウレタン、ポリブチレンテレフタレート（ＰＢＴ）、ポリフェニレンサルファイド（ＰＰＳ）のような絶縁材料からなり、上面には、図３（ａ）、（ｂ）および（ｃ）に示すように、弾性部材４、導体プレート６およびカバー部材７を位置決め載置するため、少なくとも２個、図１では２個の位置決めピン８を有する。
【００２３】
弾性部材４は、例えばシリコンゴムやフッ素ゴムのような軟質ゴムからなり、ベース部材３の上面に位置決め載置され、後述する導体プレート６の舌状の可動片部分９が、接触時の押圧力により、押圧方向に弾性変形するのを容易にする。
【００２４】
導体プレート６は、導電性のよい銅箔が主に用いられ、図１では、ポリイミド上に銅箔でパターンニングされたフレキシブルプリント基板（ＦＰＣ）の場合を示している。
【００２５】
導体プレート６であるフレキシブルプリント基板には、図８に示す電子部品１の電気接点１１の配設数と同数、図４および図５では３対で計６個の電気接触子５を設けられている。
【００２６】
カバー部材７は、エンジニアリング成形樹脂で、硬質ウレタン、ポリブチレンテレフタレート（ＰＢＴ）、ポリフェニレンサルファイド（ＰＰＳ）のような絶縁材料からなり、内面には、図７（ａ）、（ｂ）および（ｃ）に示すように、ベース部材３との合体時に、ベース部材３の位置決めピン８を嵌入して連結される位置決め穴１５を設けるとともに、ベース部材３上の位置決め載置した導体プレートの開口１４と対応させた位置に、測定する電子部品を導入するための導入孔１６を設ける。
【００２７】
また、導体プレート６の、電気接触子５が位置する部分の周囲に、図５に示すように、スリット状の切り込み部１０を形成して、電気接触子５の前記電気接点１１との接触時に、前記電気接点１１の端縁１２が、前記電気接触子５上を摺動するように弾性変形する舌状の可動片部分９が設けられている（図９（ａ），（ｂ））。
【００２８】
なお、切り込み部１０は、可動片部分９の弾性変形を容易にする点で設けることが好ましいが、この発明においては、必須の構成ではなく、必要に応じて設けることができる。
【００２９】
さらに、可動片部分９の一端に位置する電気接触子５は、前記電気接点１１の端縁１２と交差する方向、具体的には前記端縁１２に対し８０°以上の角度の方向に所定の間隔をおいて延びる複数本の尾根状表面部１３を有する。
【００３０】
尾根状表面部１３は、例えば貴金属めっきのような高導電性材料で形成することが好ましい。
【００３１】
尾根状表面部１３の形状は、電気接触子５の前記電気接点１１との接触時に、前記電気接点１１の端縁１２が、前記電気接触子５上を摺動して、電気接触子５に固着した半田等の付着物を剥離除去できる形状、好適には、先端が尖った形状であればよく、図６に示す断面形状の他、三角波形状等が挙げられる。
【００３２】
加えて、導体プレート６に設けられた３対の電気接触子５は、導体プレート６の中央位置に設けた矩形状の開口１４内に突出させ、かつ、向かい合い配置にすることが、可動片部分９の弾性変形を容易にする点で好ましい。
【００３３】
また、電子部品１は、図８に示すように、半田めっきや金めっきのような導電性材料でコーティングした電気接点１１を底部に有する。
【００３４】
そして、上記構成を有する電気特性測定装置１は、電子部品１の電気接点１１を、所定の押圧力Ｆで、導体プレート６上に設けた可動片部分９の電気接触子５と接触させることにより、電子部品１の電気特性を測定する。
【００３５】
前記所定の押圧力Ｆは、０．０５〜１Ｎの範囲であることが好ましい。前記押圧力Ｆが０．０５Ｎ未満では、可動片部分９の弾性変形量が小さく、押圧方向への移動距離が短いため、電子部品１の電気接点１１の端縁１２が、尾根状表面部１３を摺動する距離も小さくなり、尾根状表面部１３上の付着物を十分に擦り落とすことができなくなる傾向があるからであり、また、前記押圧力が１Ｎ超えでは、電子部品１に対する負荷が大きくなって、電子部品１の性能に悪影響を及ぼす可能性があるからである。
【００３６】
尾根状表面部１３は、前記電気接点１１の端縁１２に対し実質的に直交する方向に延びることが特に好ましい。接触時の可動片部分９の弾性変形による電気接触子５の押圧方向（図９では下側方向）への移動に伴って、電子部品１の電気接点１１の端縁１２が、尾根状表面部１３の延在方向に沿って移動する結果、尾根状表面部１３に固着した半田めっき等の付着物が、接触中に尾根状表面部１３から電気接点１１の端縁１２によって容易に擦り落とすことができるからである。
【００３７】
尾根状表面部１３の配設間隔Ｄは、２０〜２００μｍの範囲であることが好ましい。前記配設間隔Ｄが２０μｍ未満だと、めっきにより尾根状表面部を形成する場合に、十分な高低差を得ることができなくなるおそれがあるからであり、２００μｍ超えだと、尾根状表面部１３間に異物が入りやすくなり、ブラッシング等の清浄化処理によって異物を除去する際に、尾根状表面部１３が側面から押されて破損するおそれがあるからである。
【００３８】
電気接点１１の端縁１２の前記尾根状表面部１３上の接触時における摺動長さＬは、５〜２００μｍの範囲であることが好ましい。前記摺動長さＬが５μｍ未満だと、接触時に付着物を十分に擦り落とすことができなくなるおそれがあるからであり、２００μｍ超えだと、可動片部分９が弾性変形ではなく塑性変形するようになる傾向があるからである。
【００３９】
また、導体プレート６は、弾性部材４上に配置することが、可動片部分９の弾性変形を容易にする点で好ましい。
【００４０】
以下、この発明に従う電気特性測定方法の一例を説明する。
まず、搬送部材（図示せず）に分離可能に固定した電子部品１を、水平状態を維持したまま、電気特性測定装置の導入孔１６から下降させる。
【００４１】
次に、導入孔１６から導入した電子部品１を、その電気接点１１がベース部材３上に位置決め載置した弾性部材３および導体プレート６の電気接触子５と接触するまで、さらに下降させるとともに、電気接触子に対し、所定の押圧力Ｆで、電子部品の電気接点を押圧する。
【００４２】
この接触時に、電気特性を測定するが、それと同時に、導体プレート６の舌状の可動片部分９が、図９に示すように、押圧方向に弾性変形することに伴い、電気接点１１の端縁１２が、電気接触子５の尾根状表面部１３上を点接触で摺動することになる結果として、仮に尾根状表面部１３に半田等の付着物が固着していたとしても、かかる摺動作用によって、簡単に付着物を擦り落とすことができ、その結果、電気接触子に固着した付着物を剥離除去する工程を行うことなく、常に安定した電気特性を測定することができる。
【００４３】
尚、上述したところは、この発明の実施形態の一例を示したにすぎず、請求の範囲において種々の変更を加えることができる。なお、この発明において、上記電気特性測定装置の測定部１は、電気接触子５に電気接続された、測定部１からはみ出した導体プレート６の裏面の導体部分が、接続時（測定時）には、図１に示す押圧部材１７により、基板（図示せず）の電気接点に接触するように押圧されるなどの態様により、図示しない公知の測定系（電流計や電圧計等）と接続され、これにより、電気特性を測定することは言うまでもない。
【産業上の利用可能性】
【００４４】
この発明によれば、電気接触子の表面形状と電気接触子を設ける導体プレート形状の適正化により、電子部品の電気接点を構成する半田めっきのような導電性材料の一部が、接触時に、評価装置の電気接触子の表面に付着したとしても、かかる付着物を、その接触時に有効に剥離除去して、安定な電気特性を得ることができる、電子部品の電気特性評価装置および方法を提供することが可能になった。
【図面の簡単な説明】
【００４５】
【図１】この発明に従う代表的な電子部品の電気特性評価装置の要部断面図である。
【図２】図１の測定部の要部拡大図である。
【図３】（ａ），（ｂ）および（ｃ）は、ベース部材の平面図、正面図および側面図である。
【図４】導体プレートであるフレキシブルプリント基板（ＦＰＣ）の平面図である。
【図５】図４の点線の円で囲んだ部分の拡大図である。
【図６】図５のＩ−Ｉ線上の断面図である。
【図７】（ａ）はカバー部材の平面図であり、（ｂ）は（ａ）のＩＩ−ＩＩ線上の断面図、および（ｃ）は（ａ）のＩＩＩ−ＩＩＩ線上の断面図である。
【図８】（ａ），（ｂ）および（ｃ）は、電子部品である、ＩＣチップを実装した成形パッケージの正面図、底面図および側面図である。
【図９】電子部品の電気接点と電気接触子の接触状態を説明するための図であって、（ａ）は平面図、（ｂ）は側面図である。
【符号の説明】
【００４６】
１  成形パッケージ
２  電気特性評価装置の測定部
３  ベース部材
４  弾性部材
５  電気接触子
６  導体プレート
７  カバー部材
８  位置決めピン
９  舌状の可動片部分
１０  切り込み部
１１  電気接点
１２  電気接点の端縁
１３  尾根状表面部
１４  開口
１５  位置決め穴
１６  導入孔
１７  押圧部材
【図１】
2007163365.tif 000003
【図２】
2007163365.tif 000004
【図３】
2007163365.tif 000005
【図４】
2007163365.tif 000006
【図５】
2007163365.tif 000007
【図６】
2007163365.tif 000008
【図７】
2007163365.tif 000009
【図８】
2007163365.tif 000010
【図９】
2007163365.tif 000011